(57)【要約】      （修正有）【課題】パウチに設けられる連通口に応じた任意の大きさの開口を、容易に開設することのできるパウチカバーを提供する。【解決手段】ストーマに装着されるパウチを被覆するパウチカバーであって、第１シート１と第２シートとを備え、第１シートと第２シートとは、互いの外縁部において接合されており、第１シートが、第１シートに開設される外径の異なる複数の開口予定領域１０ＡＲ、１０１ＡＲ〜１０４ＡＲの位置を示すガイド部１１、１１１〜１１４を備える、パウチカバー。最大の外径を有する開口予定領域の内部に、他の開口予定領域が含まれており、最小の外径を有する開口予定領域の内部に、開口を備えていてもよい。【選択図】図１
2017144070.tif 000002
【特許請求の範囲】
【請求項１】
ストーマに装着されるパウチを被覆するパウチカバーであって、
第１シートと第２シートとを備え、
前記第１シートと前記第２シートとは、互いの外縁部において接合されており、
前記第１シートが、前記第１シートに開設される外径の異なる複数の開口予定領域の位置を示すガイド部を備える、パウチカバー。
【請求項２】
最大の外径を有する前記開口予定領域の内部に、他の前記開口予定領域が含まれており、
最小の外径を有する前記開口予定領域の内部に、開口を備える、請求項１に記載のパウチカバー。
【請求項３】
最大の外径を有する前記開口予定領域の内部に、他の前記開口予定領域が含まれており、
複数の前記開口予定領域の外縁が、任意の地点で接触している、請求項１または２に記載のパウチカバー。
【請求項４】
前記第２シートが、第１サブシートと第２サブシートとを備え、
前記第１サブシートの外縁部の一部が、前記第１シートの前記外縁部の一部に接合するとともに、前記第１サブシートの前記外縁部の残部が開放されており、
前記第２サブシートの外縁部の一部が、前記第１シートの前記外縁部の少なくとも残部に接合するとともに、前記第２サブシートの前記外縁部の残部が開放されている、請求項１〜３のいずれか一項に記載のパウチカバー。
【請求項５】
前記第１サブシートの一部と前記第２サブシートの少なくとも一部とが重なっており、
前記第１サブシートの前記第２サブシートに対向する面に係合部材が配置され、
前記第２サブシートの前記係合部材に対応する位置に、前記係合部材に係合する被係合部材が配置されている、請求項４に記載のパウチカバー。
【請求項６】
前記第１シートが繊維構造体である、請求項１〜５のいずれか一項に記載のパウチカバー。
【発明の詳細な説明】
【技術分野】
【０００１】
本発明は、ストーマに装着されるパウチを被覆するパウチカバーに関する。
【背景技術】
【０００２】
腸閉塞や癌等の治療により、肛門や膀胱が排出口としての役割を果たさなくなった際、糞尿等を体外へ排出するために、腹壁にストーマといわれる人工の排出孔が造設される。ストーマとしては、消化管ストーマおよび尿路ストーマが知られている。ストーマ（厳密には、ストーマ周辺の皮膚）にはパウチが装着されて、排泄物はパウチに貯留される。
【０００３】
図４に示すように、パウチ２０には、ストーマ３０との連通口２０Ａが設けられている。連通口２０Ａは、通常、面板４０と言われる円盤状の部材に設けられた穴４０Ａを介して、ストーマ３０と連通する。面板４０の一方の面は、パウチ２０の連通口２０Ａの近傍に接着され、面板４０の他方の面は、ストーマ３０を囲むようにストーマ３０周辺の皮膚に接着される。パウチ２０は、パウチ２０と面板４０とが一体化されたワンピース型や、パウチ２０と面板４０とが別体になっているツーピース型に大別される。ツーピース型の場合、面板４０に設けられた穴４０Ａを囲むようにフランジ（図示せず）が配置されており、フランジにパウチ２０の連通口２０Ａ周辺を嵌合させることにより、パウチ２０と面板４０、さらには、ストーマ３０とが連通する。パウチ２０および面板４０は、併せてストーマ装具と言われる場合もある。
【０００４】
パウチ２０は、防水性を有し、通気性の低い合成樹脂製の袋体である。そのため、皮膚に接触するとムレや炎症を起こす場合がある。そこで、通気性および風合いの良い布製のパウチカバー１００が市販されている。パウチカバー１００として、さらに、消臭機能や吸水機能あるいは撥水機能を備える布帛を用いる場合もある（特許文献１〜３）。パウチカバー１００には、開口１００Ａが設けられている。パウチカバー１００の開口１００Ａは、少なくともパウチ２０の連通口２０Ａを覆わないような大きさに設定される。これにより、パウチ２０とストーマ３０との連通を妨げることなく、パウチカバー１００をパウチ２０に装着することができる。
【先行技術文献】
【特許文献】
【０００５】
【特許文献１】特開平１０−１９２３１７号公報
【特許文献２】特開平１０−３３５７９号公報
【特許文献３】特開２０１０−５７６６０号公報
【発明の概要】
【発明が解決しようとする課題】
【０００６】
ストーマ３０の径は人によって異なる。そのため、面板４０に設けられる穴４０Ａおよびパウチ２０の連通口２０Ａは、通常、ストーマ３０の径に応じて適宜設定される。パウチカバーの開口１００Ａは、パウチ２０の連通口２０Ａの径が大きくなっても対応できるよう、大きめに設定される場合が多い。しかし、パウチカバー１００の開口１００Ａが連通口２０Ａよりも過度に大きいと、パウチカバー１００がパウチ２０から外れ易くなったり、開口１００Ａからパウチ２０が露出してしまう。一方、パウチカバーの開口１００Ａを小さめに設定すると、パウチ２０の連通口２０Ａがパウチカバー１００で覆われてしまう。
【０００７】
本発明は、パウチに設けられる連通口に応じた任意の大きさの開口を、容易に開設することのできるパウチカバーを提供することを目的とする。
【課題を解決するための手段】
【０００８】
本発明は、ストーマに装着されるパウチを被覆するパウチカバーであって、第１シートと第２シートとを備え、第１シートと第２シートとは、互いの外縁部において接合されており、第１シートが、第１シートに開設される外径の異なる複数の開口予定領域の位置を示すガイド部を備える、パウチカバーに関する。第１シートを任意のガイド部に従って裁断することにより、パウチカバーに、パウチの連通口の大きさに応じた開口を開設することができる。これにより、パウチがパウチカバーの開口から露出することが抑制されるとともに、パウチカバーのズレが解消されるため、パウチを使用する際の快適性が向上する。
【０００９】
最大の外径を有する開口予定領域の内部に、他の開口予定領域が含まれている場合、最小の外径を有する開口予定領域の内部に、開口（以下、既設開口と称す。）が設けられていてもよい。第１シートに予め既設開口を設けておくことにより、第１シートをガイド部に沿って裁断し易くなる。
【００１０】
最大の外径を有する開口予定領域の内部に、他の前記開口予定領域が含まれている場合、複数の開口予定領域の外縁を、任意の地点で接触させてもよい。
【００１１】
第２シートは、第１サブシートと第２サブシートとを備えていてもよい。この場合、第１サブシートの外縁部の一部を、第１シートの外縁部の一部に接合するとともに、第１サブシートの外縁部の残部を開放する。さらに、第２サブシートの外縁部の一部を、第１シートの外縁部の少なくとも残部に接合するとともに、第２サブシートの外縁部の残部を開放することが好ましい。これにより、第１サブシートおよび第２サブシートの開放部分からパウチを容易に挿入あるいは取り出すことができる。
【００１２】
上記の場合、第１サブシートの一部と第２サブシートの少なくとも一部とを重ねてもよい。この場合、第１サブシートの第２サブシートに対向する面に係合部材を配置するとともに、第２サブシートの係合部材に対応する位置に、係合部材に係合する被係合部材を配置することが好ましい。これにより、パウチがパウチカバーから抜け落ちることが抑制される。
【００１３】
第１シートは繊維構造体であることが好ましい。通気性および肌触りに優れるため、使用時の快適性が向上する。
【発明の効果】
【００１４】
本発明によれば、パウチカバーに、パウチの連通口の大きさに応じた開口が開設されるため、パウチを使用する際の快適性が向上する。
【図面の簡単な説明】
【００１５】
【図１】本発明の実施形態に係るパウチカバーの第１シートを示す上面図である。
【図２】本発明の実施形態に係るパウチカバーの第２シートを示す斜視図である。
【図３】パウチの構成を示す上面図である。
【図４】ストーマに、パウチカバーで被覆されたパウチが装着されている様子を示す断面図である。
【発明を実施するための形態】
【００１６】
以下、図面を参照しながら、本実施形態にかかるパウチカバーおよびストーマ装具（パウチおよび面板）を具体的に説明する。図１は、本発明の実施形態に係るパウチカバー１０の第１シート１を示す上面図である。図２は、本発明の実施形態に係るパウチカバー１０の第２シート２を示す斜視図である。図３は、パウチ２０の構成を示す上面図である。
【００１７】
（ストーマ装具）
パウチ２０は、防水性を有する合成樹脂（例えば、ポリエチレン）製のフィルムからなる袋体であり、ストーマ３０を介して体内から排出された排泄物が貯留される。図３に例示されるように、パウチ２０は、連通口２０Ａと排出口２０Ｂとを備える。排出口２０Ｂは、パウチ２０に貯留された排泄物をパウチ２０の外部に排出するための開口であり、通常は止め具等により塞がれている。連通口２０Ａは、図４に示すように、面板４０に設けられた穴４０Ａを介してストーマ３０と連通する。パウチ２０は、通常、排出口２０Ｂが下方に位置するように、ストーマ３０に装着される。パウチ２０には、装着時に連通口２０Ａよりも上方になるような位置に、パウチ２０内に溜まったガスを排出する通気部（図示せず）が設けられていてもよい。
【００１８】
面板４０の一方の主面には、通常、粘着剤が塗布されており、ストーマ３０の周辺の皮膚に貼着される。面板４０は、中心に穴を有する円盤状の部材であり、例えば、アクリル樹脂等である。なお、図３および図４では、パウチ２０と面板４０とが一体化されたワンピース型のパウチを示しているがこれに限定されない。本実施形態のパウチカバーは、パウチ２０と面板４０とが別体であるツーピース型のパウチに対しても使用することができる。
【００１９】
（パウチカバー）
パウチカバー１０は、パウチ２０を被覆するカバーであって、第１シート１と第２シート２とを備える。第１シート１と第２シート２とは、互いの外縁部において接合される。第１シート１と第２シート２との接合方法は特に限定されない。後述するように、第１シート１および第２シート２がいずれも繊維構造体である場合、第１シート１と第２シート２とは縫合されてもよい。第１シート１および第２シート２の外縁部は、バイアステープ等でパイピングされていることが好ましい。これにより、各シートの外縁部からのほつれが抑制されて、パウチカバー１０の耐久性が向上する。
【００２０】
（第１シート）
第１シート１は、使用時に皮膚に対向するシートである。使用する際、第１シート１には、パウチ２０の連通口２０Ａに対応する開口１０Ａ（図４参照）が開設される。第１シート１には、開口１０Ａが開設されるべき開口予定領域が設定されている。開口予定領域は、外径の異なる複数の領域を含む。複数の開口予定領域の位置は、第１シート１に設けられたガイド部によって示される。ガイド部は、設定された複数の開口予定領域の位置をすべて示す。
【００２１】
パウチカバー１０をパウチ２０に装着する際、まず、パウチ２０の連通口２０Ａの周囲を囲むことができる程度の外径を有する開口予定領域を決定し、当該開口予定領域を示すガイド部を選択する。次いで、当該ガイド部に従って、第１シート１を裁断する。これにより、第１シート１に、パウチ２０の連通口２０Ａの大きさに応じた開口１０Ａが開設される。よって、パウチ２０がパウチカバー１０の開口１０Ａから露出することが抑制されるとともに、パウチカバー１０のズレが解消される。その結果、パウチ２０と皮膚との接触が抑制されて、ムレや皮膚炎等が低減される。なお、第１シート１をガイド部に従って裁断する方法は特に限定されず、ハサミ、カッター、ナイフ等を用いればよい。あるいは、レーザーや溶融カッター等により、第１シート１を溶融しながら裁断してもよい。
【００２２】
図１では、第１シート１は、複数の環状のガイド部１１（１１１〜１１４）を備える。この場合、ガイド部１１１〜１１４は、そのまま開口予定領域１０ＡＲ（１０１ＡＲ〜１０４ＡＲ）の外形を示している。ガイド部１１は、図１に示すように、開口予定領域１０ＡＲの外形を示す連続するライン（実線）であってもよいし、破線、点線等の不連続なラインであってもよいし、開口予定領域１０ＡＲの外形の一部のみを示すマークであってもよい。この場合、ガイド部１１は、例えば、第１シート１に直接、印刷または捺染されてもよいし、転写されてもよい。あるいは、ガイド部１１が印刷された他のシートを、接着剤を介して第１シート１に接着してもよい。また、ガイド部１１は、開口予定領域１０ＡＲの外形あるいはその一部を示す、第１シート１に形成された凹凸であってもよい。
【００２３】
なお、図１では、４本のガイド部１１１〜１１４を示しているがこれに限定されず、ガイド部１１の形状あるいは数は、設定される開口予定領域１０ＡＲの数に応じて適宜決定される。開口予定領域１０ＡＲの外形も特に限定されないが、パウチ２０の連通口２０Ａに対応する形状であることが好ましい。開口予定領域１０ＡＲの外形は、通常、円形である。
【００２４】
図１に示すように、最大の外径を有する開口予定領域１０４ＡＲの内部に、他の開口予定領域１０１ＡＲ〜１０３ＡＲが含まれる場合、最小の外径を有する開口予定領域１０１ＡＲの内部に既設開口（図示せず）が予め開設されていてもよい。既設開口は、例えば、上記の方法を用いて第１シート１を裁断することにより、開設される。第１シート１の裁断にハサミを用いる場合、既設開口をハサミを入れるきっかけにすることにより、第１シート１を容易に裁断することができる。なお、既設開口が、パウチ２０の連通口２０Ａに応じた大きさである場合、既設開口をそのまま開口１０Ａとして用いてもよい。
【００２５】
最大の外径を有する開口予定領域１０４ＡＲの内部に、他の開口予定領域１０１ＡＲ〜１０３ＡＲが含まれる場合、複数の開口予定領域１０ＡＲの外縁同士は、任意の地点で接触していてもよいし、任意の地点に接近するように配置されていてもよい。
【００２６】
なかでも、パウチカバー１０を使用する際に、開口予定領域１０ＡＲの外縁のうち、最も上部に位置する地点（例えば、図１における点Ｐ）において、複数の開口予定領域１０ＡＲの外縁同士が接触することが好ましい。また、最小の外径を有する開口予定領域１０１ＡＲが第１シート１の外縁と最も接近する点Ｑ（開口予定領域１０１ＡＲと第１シート１の外縁との距離が、最も短くなる（最短距離Ｄｍｉｎ）点）において、複数の開口予定領域１０ＡＲの外縁同士が接触していてもよい。図１の場合、点Ｐと点Ｑとは一致する。なお、図１に示すように、ガイド部１１が開口予定領域１０ＡＲの外形を示す場合、複数のガイド部１１１〜１１４もまた、点Ｐ（点Ｑ）で接触する。パウチ２０に設けられる連通口２０Ａの大きさによらず、連通口２０Ａの外縁とパウチ２０の端部との最短距離はほぼ一定である。そのため、複数の開口予定領域１０ＡＲを点Ｐ（点Ｑ）で接触させることにより、いずれの開口予定領域１０ＡＲを選択する場合であっても、パウチカバー１０のズレが抑制される。
【００２７】
第１シート１の材質は特に限定されない。なかでも、通気性が高く、肌触りが良い点で、繊維構造体であることが好ましい。繊維構造体の構造も特に限定されず、例えば、不織布、織物、編物等が挙げられる。繊維構造体を構成する繊維の種類も特に限定されず、例えば、ポリエチレンテレフタレート、ポリプロピレンテレフタレートおよびポリブチレンテレフタレート等のポリエステル繊維、ナイロン６やナイロン６６等のポリアミド繊維、ポリアクリルニトリルを主成分とするアクリル繊維、ポリエチレンやポリプロピレン等のポリオレフィン繊維、ポリウレタン繊維、および、ポリ塩化ビニル繊維等の合成繊維、アセテートやレーヨン等の半合成繊維、木綿、麻、絹および羊毛等の天然繊維等が挙げられる。これらの繊維は、単独あるいは２種以上を組み合わせて使用される。なかでも、吸収性および洗濯耐久性が高い点で、レーヨンや木綿等のセルロース繊維を主成分として含むことが好ましい。
【００２８】
第１シート１として繊維構造体を使用した場合であっても、第１シート１を溶融しながら裁断することにより、裁断部からのほつれが抑制される。また、例えば、熱融着糸を含む繊維構造体をヒートセット加工することにより得られる第1シート１を用いることにより、裁断部からのほつれが抑制される。ヒートセット加工により繊維構造体に含まれる熱融着糸が溶融して、繊維構造が維持されるためである。
【００２９】
図１および図２では、第１シート１と第２シート２とは、縫糸３により縫合されているが、これに限定されない。第１シート１と第２シート２とは、接着剤を介して接合されてもよいし、熱融着されて接合されてもよい。
【００３０】
（第２シート）
第２シート２は、使用時に皮膚とは反対側に位置するシートである。そのため、第２シート２の材質は特に限定されない。なかでも、通気性の観点から、上記のような繊維構造体であることが好ましい。
【００３１】
第２シート２は、図２に示すように、第１サブシート２１と第２サブシート２２とを備えることが好ましい。この場合、第１サブシート２１の外縁部の一部は、第１シート１の外縁部の一部に接合されるとともに、第１サブシート２１の外縁部の残部は開放されている。すなわち、第１サブシート２１は第１開放端２１ａを備える。第２サブシート２２の外縁部の一部は、少なくとも第１シート１の外縁部の第１サブシート２１が接合されていない部分（残部）に接合されており、第２サブシート２２の外縁部の残部は開放されている。すなわち、第２サブシート２２もまた、第２開放端２２ａを備える。この場合、第１サブシート２１の開放端２１ａおよび第２サブシート２２の開放端２２ａから、パウチ２０を容易に挿入あるいは取り出すことができる。
【００３２】
第１サブシート２１の一部と第２サブシート２２の少なくとも一部とは、重なっていることが好ましい。この場合、パウチカバー１０は、かぶせ式（中かぶせ式）といわれる構造となり、パウチ２０の挿入あるいは取り出しが容易となるとともに、パウチカバー１０のズレが抑制される。この場合、開放端２１ａと第２サブシート２２とで形成される空間からパウチ２０を挿入した後、開放端２２ａを持ち上げて第２サブシート２２をパウチ２０に被せることにより、パウチ２０の全体が、パウチカバー１０で被覆される。このとき、第１サブシート２１の第２サブシート２２との重なり部２１ｂにおいて、第１サブシート２１は、第２サブシート２２の外縁部を介して、第１シート１の外縁部に接合する。
【００３３】
上記のように、第１サブシート２１が重なり部２１ｂを有する場合、重なり部２１ｂの第２サブシート２２に対向する面に、係合部材２３Ａを配置することが好ましい。このとき、第２サブシート２２の係合部材２３Ａに対応する位置には、係合部材２３Ａに係合する被係合部材２３Ｂを配置する。パウチ２０をパウチカバー１０で被覆した後、係合部材２３Ａと被係合部材２３Ｂとを係合させることにより、パウチ２０がパウチカバー１０から抜け落ちることが抑制される。さらに、この場合、パウチカバー１０全体を折り返してパウチ２０の抜け落ちを防止する方法と比較して、かさ高くならずに省スペース化が図れる。係合部材２３Ａ（あるいは被係合部材２３Ｂ）としては、面ファスナーのオスまたはメス、粘着テープまたは離型材、ホックのオスまたはメス等が挙げられる。
【産業上の利用可能性】
【００３４】
本発明に係るパウチカバーは、パウチの連通口の大きさに応じた開口を開設することができるため、種々のパウチを被覆するカバーとして有用である。
【符号の説明】
【００３５】
１０：パウチカバー
１０Ａ：開口
１０ＡＲ、１０１ＡＲ〜１０４ＡＲ：開口予定領域
１：第１シート
１１、１１１〜１１４：ガイド部
２：第２シート
２１：第１サブシート
２１ａ：第１解放端
２１ｂ：重なり部
２２：第２サブシート
２２ａ：第２開放端
２３Ａ：係合部材
２３Ｂ：被係合部材
３：縫糸
２０：パウチ
２０Ａ：連通口
２０Ｂ：排出口
３０：ストーマ
４０：面板
４０Ａ：穴
１００：パウチカバー
１００Ａ：開口
【図１】
2017144070.tif 000003
【図２】
2017144070.tif 000004
【図３】
2017144070.tif 000005
【図４】
2017144070.tif 000006